(57)【要約】【課題】情報伝達網のレイアウトを変更する際の手間を軽減することを課題とする。【解決手段】  イベントの発生情報を複数の子局を中継しながら親局に伝達するイベント発生情報の伝達方法であって、相手を特定せず電波に乗せて情報を発信することを放送と定義したときに、子局間における前記イベント発生情報の中継を前記放送により行う。放送は、一方向的に情報を発信するものであり、受信相手を特定する必要がない。そのため、配置の自由度が高く、情報伝達網のレイアウトを比較的自由に変更することが可能となる。【選択図】図３
2010239284.tif 000002
【特許請求の範囲】
【請求項１】
イベントの発生情報を複数の子局を中継しながら親局に伝達するイベント発生情報の伝達方法であって、
相手を特定せず電波に乗せて情報を発信することを放送と定義したときに、
子局間における前記イベント発生情報の中継を前記放送により行うことを特徴とするイベント発生情報の伝達方法。
【請求項２】
前記放送を行った各子局は放送完了後の一定時間、放送を休止することを特徴とする請求項１に記載のイベント発生情報の伝達方法。
【請求項３】
前記放送を休止する休止時間Ｔａを、各子局が１回の放送に要する放送時間Ｔｏに前記情報伝達網を構成する子局の台数Ｎを乗じた時間とすることを特徴とする請求項２に記載のイベント発生情報の伝達方法。
【請求項４】
イベントの発生情報を複数の子局を中継しながら親局に伝達するイベント発生情報の伝達システムであって、
前記親局側を上流と定義し、相手を特定せず電波に乗せて情報を発信することを放送と定義したときに、
イベントの発生を検出する検出機能と無線通話機能を備えた子局を、上流側１以上の子局が自己の電波が届く範囲に含まれるように配置して情報伝達網を構築すると共に、
前記各子局は、
イベントの発生を検出することを条件に、そのイベントの発生情報を電波に乗せて放送するイベント情報発信機能と、
他の子局の放送したイベント発生情報を受信することを条件に、受信したイベント情報を電波に乗せて放送することにより情報伝達網を構築する子局間にてイベント情報を中継するイベント情報中継機能と、を発揮する制御回路を備えることを特徴とするイベント発生情報の伝達システム。
【請求項５】
前記放送を行った各子局は放送完了後の一定時間、放送を休止することを特徴とする請求項４に記載のイベント発生情報の伝達システム。
【請求項６】
前記放送を休止する休止時間Ｔａを、各子局が１回の放送に要する放送時間Ｔｏに前記情報伝達網を構成する子局の台数Ｎを乗じた時間とすることを特徴とする請求項５に記載のイベント発生情報の伝達システム。
【請求項７】
前記各子局には固有の局番が記憶され、
前記各子局はイベントの発生を検出することを条件に、そのイベントの発生情報として自己の局番を電波に乗せて放送することを特徴とする請求項４ないし請求項６のいずれか一項に記載のイベント発生情報の伝達システム。
【発明の詳細な説明】
【技術分野】
【０００１】
本発明は、イベント発生情報の伝達方法、イベント発生情報の伝達システムに関する。
【背景技術】
【０００２】
情報を伝達する手段の一つに通信がある。通信は送信相手と接続を確立させた上で情報を送受信するものであり、相手側と接続出来ない場合には、一定時間空けて接続できるか試したり、相手先を替えて接続できるか試すようになっている。また、下記特許文献１には、通信の応用技術として、途中中継を行いながら任意の無線機間で通信を行うマルチホップ無線ネットワークに関する発明が提案されている。
【先行技術文献】
【特許文献】
【０００３】
【特許文献１】特開２００６−１４８４１７号公報
【発明の概要】
【発明が解決しようとする課題】
【０００４】
通信を利用した情報伝達方法では相手先と接続が確立することを条件に情報を伝達するので、相手先に情報を確実に伝達でき、信頼性が高い。そのため、イベント発生情報を情報伝達網を形成して伝達するようなケースでも、イベント発生情報を確実に伝達できるというメリットがある。しかし、通信形式のものは伝送制御手順（情報を送受信する際の機器同士の手順）が複雑である。そのため、一度構築した情報伝達網のレイアウトを変更するときに、通信相手の設定を情報伝達網を構成する通信機器の全点について見直す必要があり、事後のレイアウト変更に手間がかかるという問題がある。
本発明は上記のような事情に基づいて完成されたものであって、情報伝達網のレイアウトを変更する際の手間を軽減することを課題とする。
【課題を解決するための手段】
【０００５】
本発明は、イベントの発生情報を複数の子局を中継しながら親局に伝達するイベント発生情報の伝達方法であって、相手を特定せず電波に乗せて情報を発信することを放送と定義したときに、子局間における前記イベント発生情報の中継を前記放送により行うことを特徴とする。
【０００６】
この発明では、イベント発生情報の中継を放送により行う。放送は、一方向的に情報を発信するものであるから、情報伝達網のレイアウトを自由に変更することが可能である。
【０００７】
この発明の実施態様として以下の構成とすることが好ましい。
・放送を行った各子局に、放送完了後の一定時間は放送を休止させる。このようにすることで、情報伝達網内にて、放送が無限に繰り返されることを回避できる。
【０００８】
・放送を休止する休止時間Ｔａを、各子局が１回の放送に要する放送時間Ｔｏに情報伝達網を構成する子局の台数Ｎを乗じた時間とする。このようにすることで、情報伝達網内にて、放送が無限に繰り返されることをより確実に回避でき、また、休止時間Ｔａが必要以上に長くならない。
【０００９】
本発明は、イベントの発生情報を複数の子局を中継しながら親局に伝達するイベント発生情報の伝達システムであって、前記親局側を上流と定義し、相手を特定せず電波に乗せて情報を発信することを放送と定義したときに、イベントの発生を検出する検出機能と無線通話機能を備えた子局を、上流側１以上の子局が自己の電波が届く範囲に含まれるように配置して情報伝達網を構築すると共に、前記各子局は、イベントの発生を検出することを条件に、そのイベントの発生情報を電波に乗せて放送するイベント情報発信機能と、他の子局の放送したイベント発生情報を受信することを条件に、受信したイベント情報を電波に乗せて放送することにより情報伝達網を構築する子局間にてイベント情報を中継するイベント情報中継機能と、を発揮する制御回路を備える。
【００１０】
この発明では、イベント発生情報の中継を放送により行う。放送は、一方向的に情報を発信するものであるから、情報伝達網のレイアウトを自由に変更することが可能である。
【００１１】
この発明の実施態様として以下の構成とすることが好ましい。
・放送を行った各子局に、放送完了後の一定時間は放送を休止させる。このようにすることで、情報伝達網内にて、放送が無限に繰り返されることを回避できる。
【００１２】
・放送を休止する休止時間Ｔａを、各子局が１回の放送に要する放送時間Ｔｏに情報伝達網を構成する子局の台数Ｎを乗じた時間とする。このようにすることで、情報伝達網内にて、放送が無限に繰り返されることをより確実に回避できる。また、休止時間Ｔａが必要以上に長くならない。
【００１３】
・各子局に、固有の局番が記憶しておく。そして、イベントの発生を検出することを条件に、各子局に、そのイベントの発生情報として自己の局番を電波に乗せて放送させる。
【発明の効果】
【００１４】
本発明によれば、情報伝達網のレイアウトを自由に変更することが可能となる。
【図面の簡単な説明】
【００１５】
【図１】本発明の実施形態１に係る通報システムの構成図
【図２】子局の配置条件の説明図
【図３】子局により情報伝達網が構築されていることを示す図
【図４】子局の設置例を示す図
【図５】欠相検出回路、停電検出回路の回路図
【図６】接点スイッチの結線を示す図
【図７】子局の電気的構成を示すブロック図
【図８】ＤＴＭＦ信号読取回路、ＤＴＭＦ信号発生回路の電気的構成を示すブロック図
【図９】（１）ＤＴＭＦ信号を構成する音声周波数を示す図  （２）音声周波数に１６種の番号を対応させた図表
【図１０】親局の電気的構成を示すブロック図
【図１１】休止時間Ｔａを説明する図
【図１２】異常発生情報が各子局を中継して親局に伝達される動作を示す図
【図１３】通報システムの構成図（子局Ｆ５の配置変更を示す）
【図１４】通報システムの構成図（子局Ｆの増設を示す）
【図１５】実施形態２において各子局に対する番号の割り当てを示す図
【図１６】本発明に係る通報システムの他の例を示す図
【発明を実施するための形態】
【００１６】
＜実施形態１＞
本発明の実施形態１を図１ないし図１４によって説明する。
１．システム全体の構成
通報システムＵは、配電系統の異常、子局の電源異常などのイベント発生情報を監視員に通報することを目的としたものであり、図１に示すように、監視所に設置された親局Ｇと、複数の子局Ｆ（この実施形態では、Ｆ１〜Ｆ７の７局）とから構成されている。これら親局Ｇと子局Ｆはいずれも無線通話機能を備えると共に、各子局Ｆ１〜Ｆ７は監視区域内において、以下の配置条件を満たす場所に配置されている。
【００１７】
配置条件は、以下の２つである。
（１）１以上の子局Ｆが親局Ｇに対して電波の届く範囲内にあること。
（２）親局Ｇを上流としたときに、他の子局Ｆは、上流側に配置された１以上の子局Ｆに対して電波が届く範囲内にあること。
尚、図２中において一点鎖線で示す円は、各子局Ｆの電波を届く範囲を示している。
【００１８】
このような配置条件を満たすことで、図３に示すように、点在配置された各子局Ｆ１〜Ｆ７によって、それを中継点とする情報伝達網Ｚを構築出来る。尚、本実施形態では、親局Ｇに局番「０」が割り当てられ、各子局Ｆには「１」〜「７」の局番がそれぞれ割り当てられている。そして、イベント発生情報を検出すると、その子局Ｆは自己の局番を、各子局Ｆを中継しながら親局Ｇに伝えることで、親局Ｇ側にイベント発生情報と、発生箇所を通報できるシステム構成となっている。
【００１９】
２．子局の構成
各子局Ｆは、子局本体２０と、小型無線機（以下、単に無線機）７０とから構成され、例えば、架空配電線を支持するための電柱Ｄに取り付けられている（図４参照）。本実施形態では、３相２００Ｖと単相１００Ｖを配電する３相４線式の配電系統を監視対象としており、子局本体２０は３相２００Ｖの配電線Ｌｂ、Ｌｗ、Ｌｒに対応して欠相検出回路（イベント情報検出手段）２２を備え、単相１００Ｖの引き出し線に対応して停電検出回路（イベント情報検出手段）２５を備えている（図５参照）。
【００２０】
欠相検出回路２２はスター結線された３つの電磁コイル２３Ｂ、２３Ｗ、２３Ｒを備えており、各電磁コイル２３Ｂ、２３Ｗ、２３Ｒに３相各相の相電圧が印加される構成となっている。これら各電磁コイル２３Ｂ、２３Ｗ、２３Ｒは接点スイッチ２４Ｂ、２４Ｗ、２４Ｒと共に電磁リレーを構成している。
【００２１】
各接点スイッチ２４Ｂ、２４Ｗ、２４Ｒは電磁コイル２３Ｂ、２３Ｗ、２３Ｒが通電されると、メーク接点ａを閉じ、通電されない状態ではブレーク接点ｂを閉じる。そして、これら各接点スイッチ２４Ｂ、２４Ｗ、２４Ｒは図６に示すように並列接続されており、各コモン端子Ｃが中性線Ｌｃに接続され、各ブレーク接点ｂが出力ラインＬ１に共通接続されている。
【００２２】
以上のことから、３相各相が健全であるときには、図６の（１）に示すように各接点スイッチ２４Ｂ、２４Ｗ、２４Ｒのブレーク接点ｂが開放状態になり、出力ラインＬ１はオープン状態になる。一方、欠相があると、図６の（２）に示すように、その相に対応した接点スイッチ（ここでは、２４Ｗ）のブレーク接点ｂが閉じた状態になる。そのため、出力ラインＬ１は中性線Ｌｃに接続され電位がゼロになる。以上のことから、出力ラインＬ１がオープンになるか、接続状態（電位ゼロ）になるかによって、３相２００Ｖ配電線の欠相の有無を検出できる構成となっている。
【００２３】
停電検出回路２５は欠相検出回路２２と同様に電磁コイル２６を備えている。この電磁コイル２６は中性線Ｌｃと単相１００Ｖの引き出し線（図中は配電線Ｌｂ）との間に設けられており、単相１００Ｖが印加される構成となっている。この電磁コイル２６は接点スイッチ２７と共に電磁リレーを構成している。接点スイッチ２７はコモン端子Ｃを中性線Ｌｃに接続させ、ブレーク接点ｂを出力ラインＬ２に接続させている。この接点スイッチ２７は電磁コイル２６が通電されると、メーク接点ａを閉じ、通電されない状態ではブレーク接点ｂを閉じる。
【００２４】
以上のことから、単相１００Ｖが正常に供給されていれば、接点スイッチ２６のブレーク接点ｂが開放状態となり、出力ラインＬ２はオープン状態になる。一方、単相１００Ｖが停電しているときには、接点スイッチ２６のブレーク接点ｂが閉じた状態になる結果、出力ラインＬ２は中性線Ｌｃに接続され電位がゼロになる。以上のことから、出力ラインＬ２がオープンになるか、接続状態（電位ゼロ）になるかによって、単相１００Ｖの停電の有無を検出できる構成となっている。
【００２５】
欠相検出回路２２、停電検出回路２５は図７に示すように、子局本体２０に設けられた記憶回路２９に接続されており、これら検出回路２２、２５により欠相、停電が検出されると、その情報が記憶回路２９に記憶される構成となっている。
【００２６】
また、記憶回路２９には電源監視回路（イベント情報検出手段）２８が接続されている。この電源監視回路２８は電源（バッテリ）５３の出力電圧、出力電流を検出して電源異常の有無を監視するものであり、電源異常を検出すると、その情報を記憶回路２９に記憶させるようになっている。
【００２７】
そして、子局本体２０に設けられた制御回路２１が記憶回路２９に定期的にアクセスして記憶された情報を確認することで、３相２００Ｖの配電線Ｌの欠相の有無、単相１００Ｖの停電の有無、電源異常の有無が監視される構成となっている。
【００２８】
さて、子局本体２０は図７に示すように、ＤＴＭＦ信号発生回路３１、ＤＴＭＦ信号読取回路４１、混信防止用検出回路５１、タイマ５５、ＲＯＭ５７を備えている。
【００２９】
ＤＴＭＦ信号発生回路３１は、図８に示すようにＤＴＭＦ信号発生用ＩＣ３２、水晶発振子３５などから構成されている。ＤＴＭＦ信号発生用ＩＣ３２は４つの入力ポートＰ１〜Ｐ４を設けており、制御回路２１の出力ポート（Ｐ２１〜Ｐ２４）から４ビットのデータが入力されると、入力された４ビットのデータに従ってＤＴＭＦ信号を発生する。
【００３０】
ＤＴＭＦ（Dual-Tone Multi-Frequency）信号はいわゆるトーン信号として知られる音声周波数帯域の信号音のことであり、図９に示すようにｆ１〜ｆ４からなる低群のうちいずれかの音とｆ５〜ｆ８からなる高群のうちいずれかの音を組み合わせた信号である。
【００３１】
ＤＴＭＦ信号発生用ＩＣ３２の出力ポートＰ５は無線機８０のマイク端子８４Ａに接続されており、発生したＤＴＭＦ信号（信号音）を無線機８０を通じて発信できる。
【００３２】
以上のことから、制御回路２１からＤＴＭＦ信号発生用ＩＣ３２に対して４ビットのデータ（「０」〜「１５」の局番のデータ）が出力されると、出力された局番のデータはＤＴＭＦ信号に変換された後、無線機８０を通じて情報伝達網Ｚを構成する周辺の子局Ｆに放送される構成となっている。この実施形態では、子局ＦはＦ１〜Ｆ７の７局しかないので、「８」〜「１５」の局番は空きとなっている。
【００３３】
ＤＴＭＦ信号読取回路４１は、図８に示すようにＤＴＭＦ信号読取用ＩＣ４２、水晶発振子４５などから構成されている。ＤＴＭＦ信号読取用ＩＣ４２は、１つの入力ポートＰ６と、５つの出力ポートＰ７〜Ｐ１１を備えている。入力ポートＰ６は無線機８０のスピーカ端子８２Ａに接続されている。係るＤＴＭＦ信号読取用ＩＣ４２は、無線機８０からスピーカ出力された出力信号からＤＴＭＦ信号を読み取った後、デコードする。
【００３４】
そして、ＤＴＭＦ信号読取用ＩＣ４２の４つ出力ポートＰ７〜Ｐ１０は、制御回路２１の入力ポート（Ｐ２７〜Ｐ３０）に接続されており、ＤＴＭＦ信号読取用ＩＣ４２はＤＴＭＦ信号をデコードすると、制御回路２１に４ビットのバイナリデータ（「０」〜「１５」の局番に対応するデータ）を制御回路２１に出力する構成となっている。
【００３５】
また、出力ポートＰ１１は、制御回路２１のチェックポートＰ３１に接続されている。第１ＤＴＭＦ信号読取ＩＣ４２は、有効な信号音（ＤＴＭＦ信号）を検出することを条件に、出力ポートＰ１１よりＨレベルの確認信号を出力する。これにより、制御回路２１は、チェックポートＰ３１がＨレベルになることを条件に、有効な信号音が受信されていると判別できる。
【００３６】
また、混信防止用検出回路５１は制御回路２１と共にいわゆる混信防止を行うものであり、無線機８０のスピーカ出力の有無を検出し、スピーカ出力のある期間、検出信号を制御回路２１に出力する。制御回路２１は検出信号を受けると、スピーカ出力がある間、ＤＴＭＦ信号発生回路３１への出力を禁止する。これにより、スピーカ出力中（受信中）の発信動作が防止される構成となっている。
【００３７】
無線機８０は受信回路８１、スピーカ８２、発信回路８３、マイク８４、切替回路８５、アンテナ８７、スピーカ端子８２Ａ、マイク端子８４Ａ、ＰＴＴ端子８８Ａを備えている。各回路の結線は図７に示す通りであり、受信回路８１、発信回路８３の両回路が切替回路８５を介してアンテナ８７に接続されると共に、受信回路８１にはスピーカ８２及びスピーカ端子８２Ａが接続され、発信回路８３にはマイク８４及びマイク端子８４Ａが接続されている。
【００３８】
受信回路８１はアンテナ８７で受信された受信信号を復調した後、スピーカ端子８２Ａ又はスピーカ８２を通じて出力するものである。また、発信回路８３はマイク端子８４Ａ又はマイク８４を通じて取り込まれるＤＴＭＦ信号を変調し、アンテナ８７に出力するものである。
【００３９】
切替回路８５はＰＴＴ端子８８Ａの接続状態に応じて動作するものであって、ＰＴＴ端子８８Ａがオープンの場合には、アンテナ８７を受信回路８１に接続し、ＰＴＴ端子８８ＡがＬレベル（ロウレベル）の場合には、アンテナ８７を発信回路８３に接続するものである。
【００４０】
この実施形態ではＰＴＴ端子８８Ａを、スイッチＳＷ１を介してグラウンドに接続してあり、そのスイッチＳＷ１を制御回路２１の出力する制御信号ＳｒによりＯＮ／ＯＦＦ制御できる。そのため、制御回路２１がスイッチＳＷ１をＯＮさせると、ＰＴＴ端子８８ＡがＬレベルとなって、アンテナ８７に受信回路８１が接続された状態となる。一方、制御回路２１がスイッチＳＷ１をＯＦＦさせると、ＰＴＴ端子８８Ａがオープンとなって、アンテナ８７に発信回路８３が接続される状態となる。尚、通常は、制御回路２１により、スイッチＳＷ１はＯＦＦ状態に制御され、無線機８０は電波を受信する受信動作を行う状態となる。
【００４１】
３．親局Ｇの構成
図１０に示すように、親局Ｇは無線部１８０と親局本体１２０とから構成されている。親局Ｇの無線部１８０は、受信回路１８１、発信回路１８３、切替回路１８５、アンテナ１８７、スピーカ端子１８２Ａ、マイク端子１８４Ａ、ＰＴＴ端子１８８Ａを備えている。この無線部１８０は子局の無線機８０と同様の機能を果たすものであり、入力されたＤＴＭＦ信号を変調した後、アンテナ１８７を通じて発信すると共に、アンテナ１８７を通じて受信した受信信号を復調しスピーカ出力する。
【００４２】
尚、切替回路１８５は子局のそれと同様に、ＰＴＴ端子１８８Ａの接続状態に応じて動作し、ＰＴＴ端子１８８Ａがオープンの場合には、アンテナ１８７を受信回路１８１に接続し、ＰＴＴ端子１８８ＡがＬレベル（ロウレベル）の場合には、アンテナ１８７を発信回路１８３に接続するものである。
【００４３】
この実施形態ではＰＴＴ端子１８８ＡをスイッチＳＷ１を介してグラウンドに接続してあり、そのスイッチＳＷ１を制御回路１２１の出力する制御信号ＳｒによりＯＮ／ＯＦＦ制御できる。そのため、親局本体１２０の制御回路１２１がスイッチＳＷ１をＯＮさせると、ＰＴＴ端子１８８ＡがＬレベルとなって、アンテナ１８７に受信回路１８１が接続された状態となる。一方、制御回路１２１がスイッチＳＷ１をＯＦＦさせると、ＰＴＴ端子１８８Ａがオープンとなって、アンテナ１８７に発信回路１８３が接続される状態となる。尚、通常は、制御回路１２１により、スイッチＳＷ１はＯＦＦ状態に制御され、無線部１８０は電波を受信する受信動作を行う状態となる。
【００４４】
親局本体１２０はＤＴＭＦ信号発生回路１３１、ＤＴＭＦ信号読取回路１４１、混信防止用検出回路１５１、電源回路１５３、ＲＯＭ１５７を備える。これら各回路の働きは、子局本体２０のＤＴＭＦ信号発生回路３１、ＤＴＭＦ信号読取回路４１、混信防止用検出回路５１、電源回路５３と同一である。
【００４５】
例えば、ＤＴＭＦ信号発生回路１３１であれば、制御回路１２１から入力される４ビットのバイナリデータ（「０」〜「１５」の局番に対応するデータ）に従ってＤＴＭＦ信号を発生させ、これを無線部１８０に入力させる。またＤＴＭＦ信号読取回路１４１であれば、無線部１８０によりマイク出力された出力信号からＤＴＭＦ信号を読み取った後、それを４ビットのバイナリデータ（「０」〜「１５」の局番に対応するデータ）にデコードして、制御回路１２１に出力する。
【００４６】
尚、親局Ｇは子局Ｆからの通報を受けるものであるので、欠相検出回路２２、停電検出回路２５などの各検出回路、及び検出結果を記憶するため記憶回路２９は搭載しておらず、表示器１２５、ブザー１２７などの通報報知手段が設けられている。
【００４７】
また、親局本体１２０には、リセットスイッチＳＷ２が設けられている。このリセットスイッチＳＷ２は制御回路１２１に接続されている。制御回路１２１は、リセットスイッチＳＷ２がＯＮ状態になること条件に、無線部１８０を通じて、局番「０」の情報を発信する。この通信システムＵでは、局番「ゼロ」を受信した場合、各子局Ｆは記憶回路２９の情報をリセットするように放送プロトコルを定めてあり、監視員はリセットスイッチＳＷ２をＯＮ操作することで、通報システムＵをリセット（情報伝達網Ｚを構成する各子局Ｆの記憶回路２９をクリア）することが出来る。
【００４８】
４．放送プロトコル
子局Ｆには、（１）〜（４）の放送プロトコルが定められている。
（１）記憶回路２９に異常発生の情報が記憶されていれば、自己の局番を無線機８０を用いて放送する。
（２）放送を受信したとき、それが自己の局番以外であれば、その局番を放送する。
（３）放送完了後の一定時間は放送を休止する（その間に自己以外の局番を受信しても放送しない）。
（４）局番「０」を受信した場合、記憶回路２９をリセットする。
【００４９】
尚、ここでいう、「放送」とは相手側を特定せず一方向的に情報を発信するという意味であり、相手先を特定し接続を確立させた上で情報を発信する「通信」とは異なる概念である。
【００５０】
本通信システムＵでは、上記放送プロトコルを実行するための放送プログラムが、各子局本体２０のＲＯＭ５７に記憶されており、各制御回路２１がＲＯＭ５７に書き込まれた放送プログラムに従って、各回路に指令を与えることで、各子局が上記（１）〜（４）の放送プロトコルに従って動作するようになっている。
【００５１】
尚、子局本体２０に設けられたタイマ５５は、（３）の放送を休止する休止時間Ｔａを計時するものである。本実施形態は、休止時間Ｔａを、各子局が１回の放送に要する放送時間Ｔｏに情報伝達網Ｚを構成する子局の台数Ｎ（この例では、７台）を乗じた時間に設定している（図１１参照）。
【００５２】
５．動作説明及び効果
通常、各子局Ｆ１〜Ｆ７及び親局Ｇの無線通話機能は、いずれも受信動作を行う状態に制御されている。そして、各子局Ｆ１〜Ｆ７の子局本体２０の制御回路２１は、記憶回路２９にアクセスして異常発生の情報が書き込まれているか確認する処理を定期的に行う。配電系統、電源異常がなければ、この監視状態が続く。
【００５３】
以下、子局Ｆ５の監視する配電系統において停電故障が発生した事例を例にとって、通報システムＵの動作説明を行う。図３、図１２に示すように時刻ｔ０にて停電故障が発生すると、停電検出回路２５が停電を検出し、その情報を子局本体２０の記憶回路２９に記憶する。すると、子局Ｆ５の制御回路２１により、停電の情報が確認される。
【００５４】
異常の発生が確認されると、子局Ｆ５の制御回路２１は放送プロトコル（１）に従って、自己の局番「５」を無線機８０を用いて放送する。具体的に説明すると、制御回路２１はまず、スイッチ切替信号Ｓｒを出力し、スイッチＳＷ１をＯＮさせる。これにより、無線機８０のＰＰＴ端子８８Ａの接続状態がオープンからＬレベル（ロウレベル）に切り換わり、アンテナ８７の接続先が受信回路８１から発信回路８３に切り換えられる。
【００５５】
そして、子局Ｆ５の制御回路２１は、自己の局番「５」に対応する４ビットのバイナリデータをＤＴＭＦ信号発生回路３１に出力する。これにより、ＤＴＭＦ信号発生回路３１にて、局番「５」に対応するＤＴＭＦ信号が生成され、生成されたＤＴＭＦ信号は無線機８０に入力される。その後、入力されたＤＴＭＦ信号は発信回路８３にて変調された後、アンテナ８５に送られて放送される。尚、この子局Ｆの制御回路２１が、放送プロトコル（１）に従って、自己の局番を無線機８０を通じて放送させる機能により、本発明の「イベント情報発信機能」が実現されている。
【００５６】
子局Ｆ５は放送完了後、放送プロトコル（３）に従って、放送を休止時間Ｔａだけ休止する。そして、この休止時間Ｔａの間に、アンテナ８７の接続先を発信回路８３から受信回路８１に切り換える。これにより、子局Ｆ５は再び受信可能な状態に戻る。
【００５７】
一方、子局Ｆ５にて放送が行われると、子局Ｆ５の発信した電波は、子局Ｆ５の電波到達範囲内に設置された子局Ｆ４にて受信される（図３、図１２参照）。電波を受信した子局Ｆ４では、無線機８０の受信回路８１にて受信した受信信号が復調され、その信号はＤＴＭＦ信号読取回路４１に出力される。
【００５８】
そして、ＤＴＭＦ信号読取回路４１では、出力された出力信号からＤＴＭＦ信号を取り出し、それを４ビットのデータ（ここでは局番「５」のデータ）にデコードして、制御回路２１に出力する。
【００５９】
これにて、制御回路２１に局番「５」のデータが取り込まれる。すると、子局Ｆ４の制御回路２１は、放送プロトコル（２）に従い、受信した局番「５」を、子局Ｆ５と同様の手順で放送する。尚、この子局Ｆの制御回路２１が、放送プロトコル（２）に従って、受信した局番を無線機８０を通じて放送させる機能により、本発明の「イベント情報中継機能」が実現されている。
【００６０】
そして、子局Ｆ４は放送完了後、放送プロトコル（３）に従って、放送を休止時間Ｔａだけ休止する。そして、この休止時間Ｔａの間に、アンテナ８７の接続先を発信回路８３から受信回路８１に切り換える。これにより、子局Ｆ４は再び受信可能な状態に戻る。
【００６１】
一方、子局Ｆ４にて放送が行われると、子局Ｆ４の発信した電波は、子局Ｆ４の電波到達範囲内に設置された子局Ｆ３にて受信される（図３、図１２参照）。これにより、子局Ｆ３の制御回路２１に、ＤＴＭＦ信号読取回路４１を通じて、局番「５」のデータが取り込まれる。その後、子局Ｆ３は、子局Ｆ４と同様に放送プロトコル（２）に従い、局番「５」を放送する。そして、子局Ｆ３は放送完了後、放送プロトコル（３）に従って放送を休止時間Ｔａだけ休止する。そして、この休止時間Ｔａの間に、アンテナ８７の接続先を発信回路８３から受信回路８１に切り換える。これにより、子局Ｆ３は再び受信可能な状態に戻る。
【００６２】
このように、放送を受信した各子局Ｆが、同じ内容（ここでは、停電故障が発生した子局Ｆ５の局番「５」）の放送を繰り返すことで、放送内容が各子局Ｆを中継して親局Ｇに順々に伝達されてゆく。この実施形態であれば、子局Ｆ３の電波到達範囲内には子局Ｆ１が配置されているので、図３、図１２に示すように、子局Ｆ３に続いて、子局Ｆ１が停電故障が発生した子局Ｆ５の局番「５」を放送する。
【００６３】
そして、子局Ｆ１にて放送が行われると、子局Ｆ１の発信した電波は、親局Ｇにて受信される。電波を受信した親局Ｇでは、子局Ｆの場合と同様に、無線部１８０の受信回路１８１にて受信した受信信号が復調され、その信号はＤＴＭＦ信号読取回路１４１に出力される。
【００６４】
そして、ＤＴＭＦ信号読取回路１４１では、出力された出力信号からＤＴＭＦ信号を取り出し、それを４ビットのデータ（ここでは局番「５」のデータ）にデコードして、制御回路１２１に出力する。
【００６５】
これにて、親局Ｇの制御回路１２１に、局番「５」のデータが取り込まれる。すると、制御回路１２１は、ブザー１２７を報知すると共に、表示器１２５に局番「５」を表示させる。かくして、子局Ｆ５の監視する配電系統にて停電故障が起きたことが監視員に通報される。
【００６６】
以上説明したように、本通報システムＵでは、遠隔地にて発生した配電系統の異常発生情報を、発生箇所の情報と共に監視所の監視員に通報できる。
【００６７】
そして、配電系統は需要家の増減に対応して系統構成の変更を余儀なくされる場合があり、そのような場合、情報伝達網Ｚを再編成する必要がある。
【００６８】
この点、本通報システムＵでは、情報を放送により伝達させている。放送であれば、一方向的に電波を発信するだけなので、電波が届きさえすれば、子局Ｆをどの場所にも自由に配置でき、また、通信と違って相手先を特定する必要もない。
【００６９】
そのため、例えば、図１３に示すように、子局Ｆ５の配置を図中の左斜め下の位置から図中の上側中央の位置に配置変更する場合、子局Ｆ５が情報を伝える相手は、子局Ｆ４から子局Ｆ３に変わるものの、それに伴う設定変更を子局Ｆ３、Ｆ４は無論のこと、子局Ｆ５についても何ら変更する必要がない。また、子局Ｆを増設する場合（図１４参照）も、既存の子局Ｆ１〜Ｆ７の設定を何ら変更する必要がない。従って、構築した情報伝達網Ｚを再編成し易い。
【００７０】
また、本通報システムＵでは、放送プロトコル（３）によって休止時間Ｔａを定めており、放送完了後の一定時間は放送を休止する設定としてある。しかも、休止時間Ｔａは、各子局が１回の放送に要する放送時間Ｔｏに情報伝達網Ｚを構成する子局の台数Ｎ（この例では、７台）を乗じた時間に設定している。
【００７１】
このようにすることで、各子局は情報を一回だけ放送するようになるので、情報伝達網Ｚを構成する各子局Ｆ間で、同じ情報が無限に放送され続けることがない。
【００７２】
尚、上記の動作説明では、子局Ｆ５→子局Ｆ４→子局Ｆ３→子局Ｆ１の順に各局が放送を行うことで、局番５の情報が親局Ｇに伝わる例を説明したが、通報データを中継してゆく過程で、上記子局Ｆ５、Ｆ４、Ｆ３、Ｆ１の他、放送を行う子局Ｆは無論ある。というのも、例えば、子局Ｆ３の放送は、子局Ｆ１の他、子局Ｆ６も受信する。そのため、子局Ｆ３に続いて子局Ｆ１が放送するとき、子局Ｆ６も同じように放送を行う。ただし、この場合、子局Ｆ６の放送は、いわゆる下流（親局Ｇから離れる方向）への放送伝達となり、親局Ｇ側に向かうものではないので、先では説明を割愛した。また、子局の配置によっては、複数の子局Ｆが放送した電波を、他の子局Ｆが同時に受信することもあるが、このような場合、電波の強い方が優先されることとなる。
【００７３】
次に、リセット動作の説明を行う。親局ＧのリセットスイッチＳＷ２を操作すると、親局Ｇにより局番「０」の情報が放送される。親局Ｇが放送を行うと、その情報は、やはり各子局Ｆにより順々に放送され、情報伝達網Ｚを構成する各子局Ｆにて受信される。そして、局番「０」を受信した各子局Ｆは、放送プロトコルの（４）に従って、記憶回路２９をリセットする。
【００７４】
このように、監視所の監視員は親局ＧのリセットスイッチＳＷ２を操作することで、情報伝達網Ｚを構成する各子局Ｆの記憶回路２９の記憶状態をリセットできる。そして、このようなリセット操作を可能とすることで、以下の効果を得ることが可能となる。
【００７５】
先に説明したように、本通報システムＵでは各子局Ｆは情報を一回だけ放送する。そのため、無線機の不調、混信などが起きると、放送による情報の伝達が途中で途切れてしまい、親局Ｇに配電系統の異常を通報できない場合がある。
【００７６】
この点、上記リセット操作を行って各子局Ｆの記憶回路２９の記憶状態をリセットしてやれば、配電系統の異常、電源異常が発生している子局Ｆでは、リセット後、配電系統の異常、電源異常が再び検出され、記憶回路２９に異常発生情報が書き込まれることとなる。すると、その子局Ｆが自己の局番を改めて放送し、情報伝達網Ｚを構成する各子局Ｆにより放送伝達が再度行われる。従って、途中で途切れて伝達できなかった異常発生情報を親局Ｇに通報できる。
【００７７】
＜実施形態２＞
次に、本発明の実施形態２を図１５によって説明する。
実施形態１では、子局Ｆ１〜Ｆ７に対して「１」〜「７」の番号を割り当てた。これに対し、実施形態２では、図１５に示すように、各子局Ｆに対して「３ｎ」、「３ｎ＋１」、「３ｎ＋２」の３つの番号を割り当てるようにしている。尚、「ｎ」は各子局の局番である。
【００７８】
そして、この実施形態では、各子局Ｆの放送プロトコルを以下のように定めている。
（１）記憶回路２９に異常発生の情報が記憶されていれば、自己に割り当てられた「３ｎ」の番号を無線機８０を用いて放送する。
（２）「３ｎ＋１」の番号は確認信号とする。自己に割り当てられた「３ｎ＋１」の番号を受信した子局は、記憶回路２９に異常発生情報が書き込まれていれば、「３ｎ」の情報を放送し、記憶回路２９に異常発生情報が書き込まれていなければ、「３ｎ＋２」の情報を放送する。
【００７９】
このように放送プロトコルを定めることで、親局Ｇからの指示により各子局Ｆの状況を個別確認できる。例えば、図１に示す通報システムＵにおいて、子局Ｆ３の状況を確認したい場合であれば、親局Ｇにて、子局Ｆ３の確認番号である「１０」の番号を電波に乗せて放送してやればよい。すると、放送は子局Ｆ１を中継して子局Ｆ３にて受信される。
【００８０】
そして、子局Ｆ３は放送を受信すると、記憶回路２９の記憶状態に応じて「９」又は「１１」の情報を放送する。放送は、子局Ｆ１を中継して親局Ｇにて受信される。親局Ｇは受信した情報が「９」であれば、子局Ｆ３の監視する配電系統、又は電源に異常があると確認できる。又受信した情報が「１１」であれば、子局Ｆ３の監視する配電系統に異常がなく、又電源も正常に動作している確認できる。
【００８１】
また、更に、親局Ｇにて子局Ｆ３の確認番号である「１０」の番号を電波に乗せて放送したにも拘わらず、情報が何も戻ってこない場合には、子局Ｆ３が放送を受信できない、又は放送できない状態にあることがわかる。
【００８２】
また、上記のように、子局Ｆに対して「３ｎ」、「３ｎ＋１」、「３ｎ＋２」の３つの番号を割り当てると、番号の数が１６種を超えてしまう。この点についてはＤＴＭＦ信号の桁数を増やし、１桁目と２桁目の番号を時分割して放送してやれば、問題なく対処できる。
【００８３】
尚、この実施形態も実施形態１の放送プロトコルと同様に、放送を受信したとき、それが自己に割り当てられた番号以外であれば、その局番を放送する点、放送完了後の一定時間は放送を休止する点は何ら変わるところがない。
【００８４】
＜他の実施形態＞
本発明は上記記述及び図面によって説明した実施形態に限定されるものではなく、例えば次のような実施形態も本発明の技術的範囲に含まれる。
（１）実施形態１、実施形態２では、本通報システムＵの適用例として配電系統、電源の異常検出を行うものを例示したが、検出対象のイベントは例示したものに限定されない。例えば、ドアの開閉を検出し、それを通報する通報システム又は、火災の有無を検出しそれを通報する通報システムとすることも可能である。
【００８５】
（２）実施形態１では、情報伝達網Ｚの構成例として、複数の子局Ｆを樹枝式に点在のさせた例を示したが、実施形態１に示した配置条件さえ満たしていれば、例えば、図１６に示すように、複数の子局Ｆを直線的に配置してもよい。
【００８６】
（３）実施形態１では、休止時間Ｔａを計時するのにタイマ５５を使用する例を示したが、これをソフト（プログラム）で行うことも可能である。
【符号の説明】
【００８７】
２０…子局本体
２１…制御回路
２２…欠相検出回路（イベント情報検出手段）
２５…停電検出回路（イベント情報検出手段）
２８…電源異常検出回路（イベント情報検出手段）
２９…記憶回路
３１…ＤＴＭＦ信号発生回路
４１…ＤＴＭＦ信号読取回路
５５…タイマ
８０…無線機
１２０…親局本体
１２１…制御回路
１３１…ＤＴＭＦ信号発生回路
１４１…ＤＴＭＦ信号読取回路
１８０…無線部
Ｆ１〜Ｆ７…子局
Ｇ…親局
ＳＷ１…スイッチ
ＳＷ２…リセットスイッチ
Ｕ…通報システム（本発明の「イベント発生情報の伝達システム」に相当するもの）
【図１】
2010239284.tif 000003
【図２】
2010239284.tif 000004
【図３】
2010239284.tif 000005
【図４】
2010239284.tif 000006
【図５】
2010239284.tif 000007
【図６】
2010239284.tif 000008
【図７】
2010239284.tif 000009
【図８】
2010239284.tif 000010
【図９】
2010239284.tif 000011
【図１０】
2010239284.tif 000012
【図１１】
2010239284.tif 000013
【図１２】
2010239284.tif 000014
【図１３】
2010239284.tif 000015
【図１４】
2010239284.tif 000016
【図１５】
2010239284.tif 000017
【図１６】
2010239284.tif 000018